(57)【特許請求の範囲】
【請求項１】
基板上に形成された薄膜の膜厚を測定する膜厚測定装置において、
白色光を基板上の所定位置に照射する光学系と、所定位置から反射した反射光を所定の波長ごとに分光する分光手段と、分光手段で分光された光をそれぞれ受光する第１受光手段とを有し、第１受光手段による検出結果に基づいて所定位置における薄膜の膜厚を求める第１膜厚測定部と、
互いに波長が異なる複数の光を基板上の所定領域に順次照射する照射手段と、２次元に配列された複数の受光素子からなる第２受光手段と、基板上の所定領域から反射した反射光を第２受光手段に一括して導く光学系と、第１膜厚測定部により求められた所定位置における薄膜の膜厚に基づいて膜厚検査範囲を設定する設定手段とを有し、第２の受光手段による検出結果および膜厚検査範囲に基づいて所定領域における薄膜の膜厚分布を求める第２膜厚測定部と、
を備えることを特徴とする膜厚測定装置。
【請求項２】
基板上に形成された薄膜の膜厚を測定する膜厚測定装置において、
白色光を基板上の所定位置に照射する光学系と、所定位置から反射した反射光を所定の波長ごとに分光する分光手段と、分光手段で分光された光をそれぞれ受光する第１受光手段とを有し、第１受光手段による検出結果に基づいて所定位置における薄膜の膜厚を求める第１膜厚測定部と、
白色光を基板上の所定領域に順次照射する照射手段と、２次元に配列された複数の受光素子からなる第２受光手段と、所定領域から反射した反射光から互いに波長が異なる複数の光を順次選択する波長選択手段と、波長選択手段により選択された光を第２受光手段に向けて導く光学系と、第１膜厚測定部により求められた所定位置における薄膜の膜厚に基づいて膜厚検査範囲を設定する設定手段とを有し、第２受光手段による検出結果および膜厚検査範囲に基づいて所定領域における薄膜の膜厚分布を求める第２膜厚測定部と、
を備えることを特徴とする膜厚測定装置。
【請求項３】
請求項１または請求項２に記載の膜厚測定装置において、
所定位置が所定領域内に設定されていることを特徴とする膜厚測定装置。
【請求項４】
請求項１ないし請求項３のいずれかに記載の膜厚測定装置において、
所定領域は薄膜構造が同一である領域に設定されていることを特徴とする膜厚測定装置。
【請求項５】
基板上に形成された薄膜の膜厚を測定する膜厚測定方法において、
白色光が照射された基板上の所定位置から反射した反射光を分光した後、分光された光を第１受光手段によりそれぞれ受光し、この第１受光手段による検出結果に基づいて所定位置における薄膜の膜厚を求める第１膜厚測定工程と、
前記第１膜厚測定工程で求めた前記所定位置における薄膜の膜厚に基づいて膜厚検査範囲を設定する工程と、
互いに波長が異なる複数の光が順次照射された基板上の所定領域から反射した反射光を第２受光手段で一括して受光して、この第２受光手段による検出結果および前記膜厚検査範囲に基づいて所定領域における薄膜の膜厚分布を求める第２膜厚測定工程と、
を含むことを特徴とする膜厚測定方法。
【請求項６】
基板上に形成された薄膜の膜厚を測定する膜厚測定方法において、
白色光が照射された基板上の所定位置から反射した反射光を分光した後、分光された光を第１受光手段によりそれぞれ受光し、この第１受光手段の検出結果に基づいて所定位置における薄膜の膜厚を求める第１膜厚測定工程と、
前記第１膜厚測定工程で求めた前記所定位置における薄膜の膜厚に基づいて膜厚検査範囲を設定する工程と、
白色光が照射された基板上の所定領域から反射した光から互いに波長が異なる複数の光を順次選択した後に第２受光手段により一括して受光して、この第２受光手段による検出結果および前記膜厚検査範囲に基づいて所定領域における薄膜の膜厚分布を求める第２膜厚測定工程と、
を含むことを特徴とする膜厚測定方法。
【請求項７】
請求項５または請求項６に記載の膜厚測定方法において、
第２膜厚測定工程において、前記所定位置の近傍領域が第１膜厚演算領域に設定され、第１膜厚演算領域における膜厚検査範囲が第１膜厚測定工程で求めた所定位置の膜厚に基づいて設定されることを特徴とする膜厚測定方法。
【請求項８】
請求項７記載の膜厚測定方法において、
第２膜厚測定工程において、第１膜厚演算領域の近傍領域が第２膜厚演算領域に設定され、第２膜厚演算領域における膜厚検査範囲が第１膜厚演算領域の膜厚に基づいて設定されることを特徴とする膜厚測定方法。
【請求項９】
請求項５または請求項６に記載の膜厚測定方法において、
前記所定領域は薄膜構造が同一である領域に設定されていることを特徴とする膜圧測定方法。
【発明の詳細な説明】
【０００１】
【発明の属する技術分野】
本発明は、半導体基板、液晶表示器用基板やプラズマディスプレイパネル（ＰＤＰ等のＦＰＤ（Ｆｌａｔ  Ｐａｎｅｌ  Ｄｉｓｐｌａｙ）用基板、プリント基板などの各種の基板やフィルムなどの測定対象物に光を照射し、測定対象物からの反射光に基づいて測定対象物上に形成された薄膜の膜厚を測定する膜厚測定装置および膜厚測定方法に関する。
【０００２】
【従来の技術】
従来の膜厚測定装置の一つとして、特開平３―４６５０２号公報に開示されたものが知られている。この膜厚測定装置は、光源から照射された白色光を、集光素子、ハーフミラーおよび結像素子によって、薄膜が形成された基板上の測定領域に照射する。そして、測定領域内の所定位置から反射した光を、結像素子、ハーフミラーおよびピンホールミラーを介して分光器に入射させる。最後に分光器に入射した光を各波長ごとに分光し、この分光された光のエネルギーから薄膜の膜厚を測定する。以下、この膜厚測定装置を分光式膜厚測定装置と称す。
【０００３】
上述の分光式膜厚測定装置では、所定位置における薄膜の膜厚しか測定できず、所定領域における薄膜の膜厚分布を測定することができない。この問題を解決するための膜厚測定装置として特開平１０―４７９２６号公報に開示された膜厚測定装置が知られている。この膜厚測定装置は光源から照射された光の内、互いに異なる所定の波長の光のみをそれぞれ透過する複数のフィルタを備える。この複数のフィルタを切り替えることにより、薄膜が形成された基板に照射する光の波長を切り替える。フィルタを透過した光は、基板上方に配置された凹面鏡で反射して基板全体に照射される。基板から反射した光は２次元に配列された複数の受光素子からなる受光手段により一括して受光される。そして、複数のフィルタの切り替えに応じて受光手段からの信号を取得し、この信号に基づいて薄膜の膜厚分布を求める。以下、この膜厚測定装置を波長選択式の膜厚測定装置と称す。
【０００４】
【発明が解決しようとする課題】
例えば半導体素子の製造過程においてＣＭＰ（ｃｈｅｍｉｃａｌ  ｍｅｃｈａｎｉｃａｌ  ｐｏｌｉｓｈｉｎｇ）処理工程後、フォトレジスト膜形成工程後など各工程による薄膜形成結果を判断するために複数の工程後に薄膜の膜厚測定が実施される。そして、各膜厚測定において薄膜の膜厚分布を要求される場合と、所望位置でのより正確な膜厚測定が要求される場合とがあり、これらの測定を１台の膜厚測定装置によって使い分けしたいという要望があった。
【０００５】
また、上述の波長選択式の膜厚測定装置によると、基板に照射する光の波長がフィルタの数に制限されるため、おおよその膜厚分布を求めることはできるが、より正確な膜厚測定に対応できないという問題が発生する。この問題について図９を用いて説明する。図９は基板から反射した光の各波長に対する分光反射比率を示し、実線は膜厚が２５０ｎｍのシリコン窒化膜が形成された基板におけるプロファイルを示し、一点鎖線は膜厚が５００ｎｍのシリコン窒化膜が形成された基板におけるプロファイルを示す。図９の点ａ１ないし点ａ４に示すように実線と一点鎖線とは、波長が４３０ｎｍ，５００ｎｍ，６００ｎｍ，７４０ｎｍ付近であるときに交わっている。すなわち、図９の点ａ１ないし点ａ４において膜厚が２５０ｎｍであるときの分光反射比率と膜厚が５００ｎｍであるときの分光反射比率とが同じ値となる。したがって、波長選択式の膜厚測定装置において、複数のフィルタによって選択する光の波長が、４３０ｎｍ，５００ｎｍ，６００ｎｍ，７４０ｎｍのいずれかのときに膜厚値が２５０ｎｍであるか、５００ｎｍであるかの判断ができないという問題が発生する。この問題を解決するために、測定すべき薄膜の膜厚範囲（膜厚検査範囲）を例えば２００ｎｍから３００ｎｍの範囲内であると初期設定しておいて、上述のように膜厚値が２５０ｎｍと５００ｎｍの両方と一致するときに、初期設定値から膜厚値は２５０ｎｍと判断する方法が考えられる。
【０００６】
しかしながら、上記の膜厚検査範囲（２００ｎｍから３００ｎｍの範囲内）の初期設定を誤ると間違った膜厚を求めるという測定ミスが発生する。基板上に複数の膜種の薄膜が積層された多層膜が形成されている場合においては膜種ごとに膜厚検査範囲を初期設定する必要があるので、上述の測定ミスが発生する可能性が高くなる。
【０００７】
本発明の第１の目的は、上述のような点に鑑み、薄膜の膜厚分布を測定できるとともに、所望位置における薄膜の膜厚をより正確に測定できる膜厚測定装置を提供することにある。
本発明の第２の目的は、上述のような点に鑑み、所望領域における薄膜の膜厚分布を正確に測定することができる膜厚測定装置を提供することにある。
本発明の第３の目的は、上述のような点に鑑み、所望領域における薄膜の膜厚分布を正確に測定することができる膜厚測定方法を提供することにある。
【０００８】
【課題を解決するための手段】
かかる課題を解決するために請求項１に係る発明は、基板上に形成された薄膜の膜厚を測定する膜厚測定装置において、白色光を基板上の所定位置に照射する光学系と、所定位置から反射した反射光を所定の波長ごとに分光する分光手段と、分光手段で分光された光をそれぞれ受光する第１受光手段とを有し、第１受光手段による検出結果に基づいて所定位置における薄膜の膜厚を求める第１膜厚測定部と、互いに波長が異なる複数の光を基板上の所定領域に順次照射する照射手段と、２次元に配列された複数の受光素子からなる第２受光手段と、基板上の所定領域から反射した反射光を第２受光手段に一括して導く光学系と、第１膜厚測定部により求められた所定位置における薄膜の膜厚に基づいて膜厚検査範囲を設定する設定手段とを有し、第２の受光手段による検出結果および膜厚検査範囲に基づいて所定領域における薄膜の膜厚分布を求める第２膜厚測定部とを備えることを特徴とする。
【０００９】
請求項２に係る発明は、基板上に形成された薄膜の膜厚を測定する膜厚測定装置において、白色光を基板上の所定位置に照射する光学系と、所定位置から反射した反射光を所定の波長ごとに分光する分光手段と、分光手段で分光された光をそれぞれ受光する第１受光手段とを有し、第１受光手段による検出結果に基づいて所定位置における薄膜の膜厚を求める第１膜厚測定部と、白色光を基板上の所定領域に順次照射する照射手段と、２次元に配列された複数の受光素子からなる第２受光手段と、所定領域から反射した反射光から互いに波長が異なる複数の光を順次選択する波長選択手段と、波長選択手段により選択された光を第２受光手段に向けて導く光学系と、第１膜厚測定部により求められた所定位置における薄膜の膜厚に基づいて膜厚検査範囲を設定する設定手段とを有し、第２受光手段による検出結果および膜厚検査範囲に基づいて所定領域における薄膜の膜厚分布を求める第２膜厚測定部とを備えることを特徴とする。
【００１０】
請求項１または請求項２に係る発明によると、第１膜厚測定部によって所定位置における薄膜の膜厚が測定されるとともに、第２膜厚測定部によって所定領域における薄膜の膜厚分布が測定される。
【００１１】
また、第１膜厚測定部による測定結果に基づいて第２膜厚測定部による測定が実行される。
【００１２】
請求項３に係る発明は、請求項１または請求項２に記載の膜厚測定装置において、所定位置が所定領域内に設定されていることを特徴とする。この発明によると、所定位置の周辺領域における薄膜の膜厚分布が測定される。
【００１３】
請求項４に係る発明は、請求項１ないし請求項３のいずれかに記載の膜厚測定装置において、所定領域は薄膜構造が同一である領域に設定されていることを特徴とする。この発明によると、薄膜構造が同一である領域について膜厚分布が測定される。
【００１４】
請求項５に係る発明は、基板上に形成された薄膜の膜厚を測定する膜厚測定方法において、白色光が照射された基板上の所定位置から反射した反射光を分光した後、分光された光を第１受光手段によりそれぞれ受光し、この第１受光手段による検出結果に基づいて所定位置における薄膜の膜厚を求める第１膜厚測定工程と、前記第１膜厚測定工程で求めた前記所定位置における薄膜の膜厚に基づいて膜厚検査範囲を設定する工程と、互いに波長が異なる複数の光が順次照射された基板上の所定領域から反射した反射光を第２受光手段で一括して受光して、この第２受光手段による検出結果および前記膜厚検査範囲に基づいて所定領域における薄膜の膜厚分布を求める第２膜厚測定工程とを含むことを特徴とする。
【００１５】
請求項６に係る発明は、基板上に形成された薄膜の膜厚を測定する膜厚測定方法において、白色光が照射された基板上の所定位置から反射した反射光を分光した後、分光された光を第１受光手段によりそれぞれ受光し、この第１受光手段の検出結果に基づいて所定位置における薄膜の膜厚を求める第１膜厚測定工程と、前記第１膜厚測定工程で求めた前記所定位置における薄膜の膜厚に基づいて膜厚検査範囲を設定する工程と、白色光が照射された基板上の所定領域から反射した光から互いに波長が異なる複数の光を順次選択した後に第２受光手段により一括して受光して、この第２受光手段による検出結果および前記膜厚検査範囲に基づいて所定領域における薄膜の膜厚分布を求める第２膜厚測定工程とを含むことを特徴とする。
【００１７】
請求項７に係る発明は、請求項５または請求項６に記載の膜厚測定方法において、第２膜厚測定工程において、前記所定位置の近傍領域が第１膜厚演算領域に設定され、第１膜厚演算領域における膜厚検査範囲が第１膜厚測定工程で求めた所定位置の膜厚に基づいて設定されることを特徴とする。
【００１８】
請求項８に係る発明は、請求項７記載の膜厚測定方法において、第２膜厚測定工程において、第１膜厚演算領域の近傍領域が第２膜厚演算領域に設定され、第２膜厚演算領域における膜厚検査範囲が第１膜厚演算領域の膜厚に基づいて設定されることを特徴とする。
【００１９】
請求項９に係る発明は、請求項５または請求項６に記載の膜厚測定方法において、前記所定領域は薄膜構造が同一である領域に設定されていることを特徴とする。
【００２０】
【発明の実施の形態】
以下、この発明の好適な実施形態について図面を参照しながら説明する。
＜第１実施形態＞
図１はこの発明の膜厚測定装置の第１実施形態を示す模式図である。膜厚測定装置１は、互いに異なる複数の波長ごとの光を選択的に発する光源部２と、測定ステージ７上に水平に載置され、その上側主面に所定の薄膜が形成された基板Ｗ上の矩形の測定領域ＭＡより広い領域に光源部２からの光を照射するように導く導光光学系３と、測定領域ＭＡ内の所定位置Ｐ１から反射した光を分光した後、第１受光素子４３まで導く第１受光光学系４と、測定領域ＭＡから反射した光を第２受光素子５３まで導く第２受光光学系５と、制御部６とを備える。
【００２１】
測定ステージ７は図１において紙面に直交する水平面（Ｘ−Ｙ平面）内において移動可能に構成されたＸ−Ｙステージである。測定ステージ７を図示しない駆動機構により水平移動させることによって基板Ｗ上の所望位置に所定位置Ｐ１や測定領域ＭＡを設定する。測定ステージ７を固定し、光源部２、導光光学系３、第１受光光学系４および第２受光光学系５などを備える光学ヘッドを測定ステージ７に対して移動させて、基板Ｗ上の所望位置に所定位置Ｐ１や測定領域ＭＡを設定しても良い。
【００２２】
光源部２は白色光を発するハロゲンランプである光源２１と、光源２１からの光Ｌ０を視野絞り２５の円形の開口２５ｈに向けて集光するレンズ２２とを備える。レンズ２２と視野絞り２５との間には波長切換手段２３が配置されている。波長切換手段２３はその外周部が光路上に位置するように配置された円盤２４を備える。円盤２４の外周部には８つの円形フィルタＦ１からフィルタＦ８と円形の開口２４ｈが円盤２４の円周方向に沿って等間隔に設けられている。８つのフィルタＦ１ないしＦ８がそれぞれ透過する光Ｌ０の波長λ１ないし波長λ８は、例えば、４７５ｎｍ，５００ｎｍ，５２５ｎｍ，５５０ｎｍ，５７５ｎｍ，６００ｎｍ，６２５ｎｍ，６５０ｎｍが考えられるが、これらに限定されず、測定すべき薄膜の膜種や膜構造に応じて任意に設定すればよい。また、フィルタＦの数（透過する光の波長数）は８つに限定されず、測定すべき薄膜の膜種や膜構造に応じて適宜に設定すればよい。以下において波長λ１ないし波長λ８を特定波長λｆと総称する。
【００２３】
円盤２４の中心部にはモータ２６の回転軸が接続されている。モータ２６を後述するデータ処理部６３からの信号に基づき回転駆動することにより、レンズ２２と視野絞り２５との間に、開口２４ｈを配置するか、フィルタＦ１からＦ８の内のいずれか一つのフィルタを配置するかを選択的に切り替える。このように切り替えることによって基板Ｗの測定領域ＭＡに照射される光が、開口２４ｈが選択されたときは白色光となり、フィルタＦ１からフィルタＦ８の内のいずれか一つのフィルタが選択されたときは特定波長λｆ（波長λ１ないし波長λ８）の光となる。
【００２４】
導光光学系３は、視野絞り２５から出射した光Ｌ０がケラー照明となるように集光するレンズ３１と、レンズ３１によって集光された光Ｌ０を、基板Ｗに向けて反射するハーフミラー３２と、この反射された光Ｌ０を、所望の測定領域ＭＡ全体に集光させる対物レンズ３３とを備える。なお、図１において光源部２から照射され導光光学系３により測定領域ＭＡに照射される光Ｌ０の中心光の光路は点線で示される。
【００２５】
第１受光光学系４は、測定領域ＭＡ内の所定位置Ｐ１から反射して対物レンズ３３により平行光とされた光Ｌ１をミラー５１に形成されたピンホール５１ｈに結像させるレンズ４１を備える。また、ピンホール５１ｈから出射した光を各波長ごとに分光し、第１受光素子４３に向けて反射する凹面回折格子４２を備える。なお、所定位置Ｐ１は視野絞り２５およびピンホール５１ｈと光学的に共役な位置関係にある。また、図１において所定位置Ｐ１から反射して第１受光光学系４に導かれ、第１受光素子４３で受光される光Ｌ１の中心光の光路は実線で示される。
【００２６】
第１受光素子４３は、反射光Ｌ１が分光される方向ＡＲに沿って１次元に配列された複数の受光素子からなり、各受光素子が分光された各波長の光を受光する。そして、制御部６内の分光器測定データ入力部６１に向けて、各波長の光の光量を示す信号（検出結果）を送る。分光器測定データ入力部６１は受け取った信号をデジタルデータに変換して、このデジタルデータをデータ処理部６３に向けて送る。各波長の光量は、例えば波長が４００ｎｍから８００ｎｍの範囲内で１ｎｍごとに第１受光素子４３内の各受光素子により測定されて、その測定結果が分光器測定データ入力部６１を介してデータ処理部６３に送られる。以下において凹面回折格子４３、第１受光素子４３およびピンホール５１ｈを「分光器」と総称する場合がある。
【００２７】
第２受光光学系５は、基板Ｗ上の測定領域ＭＡから反射した光の内、所定位置Ｐ１から反射した反射光Ｌ１以外の反射光Ｌ２を第２受光素子５３に向けて反射するミラー５１を備える。ミラー５１で反射された光Ｌ２はレンズ５２によって第２受光素子５３上の所定領域に集光される。なお、図１において測定領域ＭＡから反射して第２受光光学系５に導かれ、第２受光素子５３で受光される光Ｌ２の光路は一点鎖線で示される。
【００２８】
第２受光素子５３は、所定領域に集光された光を一括して受光するために２次元に配列された複数の受光素子からなり、撮像カメラ内に設けられている。第２受光素子５３は、各受光素子によって受光した光の光量を示す信号（検出結果）を制御部６内のカメラ測定データ入力部６２に向けて送る。カメラ測定データ入力部６２はデータ処理部６３に向けて受け取った信号を送る。
【００２９】
制御部６内に設けられたデータ処理部６３は、ＣＰＵ、ＲＯＭ及びＲＡＭ等を有する既知のマイクロコンピュータ等から構成される。データ処理部６３は、第１受光素子４３から送られた各波長ごとの反射光Ｌ１の光量を示す信号および第２受光素子５３から送られた反射光Ｌ２の光量を示す信号に基づき、基板Ｗに形成された薄膜の膜厚およびその分布を算出する。また、ＲＯＭ内に記憶された処理プログラムに基づいてモータ２６などを制御する。
【００３０】
＜第１実施形態の動作例＞
次に上述の第１実施形態のように構成される膜厚測定装置１の動作の一例について説明する。まず、図２のフローチャートに示すように参照情報を測定する。具体的には、ステップＳ１１で薄膜が形成されていない参照基板Ｗ０が、操作者による手動で、または、図示しない搬送機構を用いて自動的に測定ステージ７上に載置される。
【００３１】
次にステップＳ１２で波長切替手段２３の円盤２４に形成された開口２４ｈがレンズ２２と視野絞り２５の間に配置されるように、データ処理部６３からの信号に基づいてモータ２６により円盤２４を回転駆動する。この状態では、光源２１から発せられた白色光Ｌ０が導光光学系３により基板Ｗ０上の測定領域ＭＡより広い領域に照射される。測定領域ＭＡ内の所定位置Ｐ１から反射した反射光Ｌ１は第１受光光学系４により各波長ごとに分光されて第１受光素子４３まで導かれる。
【００３２】
ステップＳ１３では、第１受光素子４３は、各波長ごとの光量を示す情報、すなわち分光器の参照情報Ｂ（λ）を分光器測定データ入力部６１を介してデータ処理部６３に送る。データ処理部６３は送られた情報Ｂ（λ）をＲＡＭ内で記憶する。
【００３３】
ステップＳ１４では、データ処理部６３からの信号に基づいて、波長切替手段２３のモータ２６により円盤２４を回転駆動して、レンズ２２と視野絞り２５との間に、８つのフィルタＦ１からＦ８の内の一つのフィルタを配置する。この状態では、フィルタを透過した特定波長λｆの光のみが導光光学系３により参照基板Ｗ０上の測定領域ＭＡより広い領域に照射される。測定領域ＭＡから反射した光Ｌ２は、第２受光光学系５により第２受光素子５３の所定領域に照射され受光される。
【００３４】
ステップＳ１５において、第２受光素子５３は、特定波長λｆの光の光量を示す情報、すなわちカメラの参照情報Ｂ（ｉ，λｆ）（ｉは第２受光素子５３内の受光素子の数（番号）を示す）をカメラ測定データ入力部６２を介してデータ処理部６３にそれぞれ送る。データ処理部６３は送られた情報Ｂ（ｉ，λｆ）をＲＡＭ内で記憶する。
【００３５】
ステップＳ１６では、フィルタＦ１からフィルタＦ８までの全てのフィルタについて処理したか否かが判断される。全てのフィルタについて処理していないと判断したときは、ステップＳ１４からステップＳ１５を繰り返す。全てのフィルタについて処理したと判断したときは次のステップＳ１７に移る。
【００３６】
ステップＳ１７では、測定ステージ７に載置された参照基板Ｗ０の外側に設けられた反射防止面に測定領域ＭＡが設定されるように測定ステージを図示しない駆動手段により水平方向に移動させる。上記の反射防止面は対物レンズ３３の焦点面から上下にずれた位置に配置され、反射防止加工が施された面である。この状態では、第１受光素子４３および第２受光素子５３には光が入射しない。
【００３７】
ステップＳ１８では、第１受光素子４３の各受光素子の暗電流の大きさを示す情報、すなわち分光器の暗情報Ｄ（λ）が分光器測定データ入力部６１を介してデータ処理部６３に送られる。また、第２受光素子５３の暗電流の大きさを示す情報、すなわちカメラの暗情報Ｄ（ｉ）がカメラ測定データ入力部６２を介してデータ処理部６３に送られる。データ処理部６３に送られた暗情報Ｄ（λ）および暗情報Ｄ（ｉ）はＲＡＭ内に記憶される。
【００３８】
ステップＳ１８が終了すると参照基板Ｗ０が測定ステージ７上から搬出されるとともに、測定ステージ７が図３に示す膜厚測定動作が可能な位置まで移動して図２のフローチャートに示す参照情報の測定動作が完了する。上述のようにデータ処理部６３のＲＡＭ内に記憶された分光器の参照情報Ｂ（λ）および暗情報Ｄ（λ）、カメラの参照情報Ｂ（ｉ，λｆ）および暗情報Ｄ（ｉ）は、後述の膜厚演算動作（図４）に用いる参照情報（キャリブレーション情報）として参照される。
【００３９】
次に図３に示すフローチャートを用いて膜厚情報の測定動作について説明する。まず、ステップＳ２１で膜厚を測定すべき基板（測定対象基板）Ｗの測定領域ＭＡに形成された薄膜の単層膜、多層膜などの膜構造と膜種を設定する。具体的には予めデータ処理部６３内のＲＯＭに保存された複数の膜構造および膜種を図示しないモニタなどの表示装置に表示して、この表示された情報の中から所望の膜構造および膜種を、操作者がキーボードなどの入力装置を操作することによって選択指定する。
【００４０】
ステップＳ２１の操作を終えると指定された膜種に応じてモニタに薄膜の光学定数（波長λの関数である反射率Ｎ（λ）、吸収係数Ｋ（λ）など）が表示される。操作者はモニタに表示された光学定数を確認する（ステップＳ２２）。
【００４１】
ステップＳ２３では、後述のステップＳ３７（図４）において用いる膜厚演算範囲を設定する。具体的には、ステップＳ２３で「±１０ｎｍ」と設定すれば、後述する膜厚値ｄｓから±１０ｎｍの範囲内でステップＳ３７が実行される。ステップＳ２４では、操作者手動で、または、図示しない搬送機構を用いて自動的に基板Ｗが測定ステージ７上に載置される。
【００４２】
ステップＳ２５では、円盤２４に形成された開口２４ｈがレンズ２２と視野絞り２５の間に配置されるように、データ処理部６３からの信号に基づいてモータ２６により円盤２４を回転駆動する。この状態では光源２１から発せられた白色光Ｌ０が導光光学系３により基板Ｗ上の測定領域ＭＡより広い領域に照射される。測定領域ＭＡ内の所定位置Ｐ１から反射した反射光Ｌ１は第１受光光学系４により各波長ごとに分光されて第１受光素子４３まで導かれる。
【００４３】
ステップＳ２６では、第１受光素子４３が各波長毎の光量を示す分光器の測定情報Ｓ（λ）を、分光器測定データ入力部６１を介してデータ処理部６３に送る。データ処理部６３は送られた測定情報Ｓ（λ）をＲＡＭ内に記憶する。
【００４４】
ステップＳ２７では、データ処理部６３からの信号に基づいて、波長切替手段２３のモータ２６により円盤２４を回転駆動して、レンズ２２と視野絞り２５との間に８つのフィルタＦ１からフィルタＦ８の内の一つのフィルタを配置する。この状態では、フィルタを透過した特定波長λｆ（波長λ１ないし波長λ８）の光のみが導光光学系３により基板Ｗ上の測定領域ＭＡより広い領域に照射される。測定領域ＭＡから反射した光Ｌ２は、第２受光光学系５により第２受光素子５３の所定領域に照射され受光される。
【００４５】
ステップＳ２８において、第２受光素子５３は、特定波長λｆの光の光量を示すカメラの測定情報Ｓ（ｉ，λｆ）をカメラ測定データ入力部６２を介してデータ処理部６３にそれぞれ送る。データ処理部６３は送られた測定情報Ｓ（ｉ，λｆ）をＲＡＭ内に記憶する。
【００４６】
ステップＳ２９でフィルタＦ１からフィルタＦ８までの全てのフィルタについて処理したか否かが判断される。全てのフィルタについて処理していないと判断したときは、ステップＳ２７からステップＳ２８を繰り返す。全てのフィルタについて処理したと判断したときは図３のフローチャートに示す膜厚情報の測定動作を完了する。
【００４７】
次に図４に示すフローチャートを用いて膜厚値演算動作について説明する。まず、ステップＳ３１で、第１受光素子４３で受光された光Ｌ１の分光反射比率、すなわち分光器データの分光反射比率Ｔ（λ）を算出する。算出方法の一例として、上述のステップＳ１３（図２）で得られた分光器の参照情報Ｂ（λ）およびステップＳ１８（図２）で得られた分光器の暗情報Ｄ（λ）、ステップＳ２６（図３）で得られた分光器の測定情報Ｓ（λ）を以下の数１に示す式に代入して分光反射比率Ｔ（λ）を算出する方法がある。
【数１】
0003723392.tif 000002
【００４８】
ステップＳ３２では、分光器データによる膜厚値ｄｓ、換言すれば所定位置Ｐ１における薄膜の膜厚値ｄｓを算出する。膜厚値を算出する方法の一つとして、まず、ステップＳ３１で算出した分光反射比率Ｔ（λ）から以下の数２に示す式により仮膜厚ｄａを算出する。なお、この動作例では算出された分光反射比率Ｔ（λ）から図９の実線で示すプロファイルが得られたものとする。以下に示す数２から数４の式において、波長λ１および波長λ２は図９の実線に示すように分光反射比率Ｔ（λ）のおおよその極値を示す波長であり、このときの薄膜の屈折率がｎ１、ｎ２である。また、これらの波長の間に存在する極値の個数がＸである。
【数２】
0003723392.tif 000003
【００４９】
仮膜厚ｄａが求まると、この膜厚近傍（ｄａ−α〜ｄａ＋α）を膜厚検査範囲とする。「ｄａ−α」および「ｄａ＋α」の値は、適宜に設定しても良いし以下の数３および数４の式から算出しても良い。
【数３】
0003723392.tif 000004
【数４】
0003723392.tif 000005
【００５０】
上記の膜厚検査範囲（ｄａ−α〜ｄａ＋α）において、理論計算により得られた膜厚ｄに対する分光反射比率Ｒ（ｄ，λ）と実測により得られた分光反射比率Ｔ（λ）とに基づいて正確な膜厚ｄｓを求める。具体的には以下の数５の式により波長λが４００ｎｍから８００ｎｍの範囲内における誤差平方和Ｅ（ｄ）を膜厚検査範囲において例えば膜厚２ｎｍずつの計算ステップでそれぞれ算出する。算出された複数のＥ（ｄ）からカーブフィット法を用いて所定位置Ｐ１の正確な膜厚ｄｓを算出する。すなわち複数のＥ（ｄ）に基づいて、横軸を膜厚検査範囲とし、縦軸を誤差平方和Ｅ（ｄ）としたグラフを作成する。このグラフから２次曲線近似法を用いて誤差平方和Ｅ（ｄ）の極小値Ｅ（ｄｓ）を求め、この極小値Ｅ（ｄｓ）に対応する膜厚値を所定位置Ｐ１の正確な膜厚ｄｓとする。
【数５】
0003723392.tif 000006
【００５１】
ステップＳ３３では、ステップＳ３２で求めた極小値Ｅ（ｄｓ）とデータ処理部６３内のＲＯＭに予め保存された規定値とを比較する。この比較により極小値Ｅ（ｄｓ）が規定値より大きいときに「ＮＧ」とデータ処理部６３が判定し、測定エラーとして膜厚測定処理を中断して異常原因を調査する。上記比較により極小値Ｅ（ｄｓ）が規定値より小さいときに「ＯＫ」とデータ処理部６３が判定しステップＳ３４に移る。
【００５２】
ステップＳ３４では、第２受光素子５３の各受光素子によって特定波長λｆごとにそれぞれ受光された光Ｌ２についての分光反射比率、すなわちカメラデータの分光反射比率Ｔ（ｉ，λｆ）を算出する。算出方法の一例として上述のステップＳ１５（図２）で得られたカメラの参照情報Ｂ（ｉ，λｆ）およびステップＳ１８（図２）で得られたカメラの暗情報Ｄ（ｉ）、ステップＳ２８（図３）で得られたカメラの測定情報Ｓ（ｉ，λｆ）を以下の数６に示す式に代入して分光反射比率Ｔ（ｉ，λｆ）を算出する方法がある。
【数６】
0003723392.tif 000007
【００５３】
ステップＳ３５では、図５に示すように第２受光素子５３内の所定位置Ｐ１に対応する受光素子（ｉ＝１）での膜厚値ｄ（ｉ＝１）をステップＳ３２で求めた膜厚値ｄｓ（例えば２５０ｎｍ）に設定する。
【００５４】
ステップＳ３６では、第２受光素子５３において図５に示すように受光素子（ｉ＝１）周辺の受光素子（ｉ＝２〜９）を第１膜厚演算領域として設定する。後述のステップＳ３９に続く次の処理のときには受光素子（ｉ＝２〜９）の外側に隣接する受光素子（ｉ＝１０〜２５）を第２膜厚演算領域として設定する。ここでは、第１膜厚演算領域および第２膜厚演算領域は各受光素子が隣接する領域に設定されているが隣接していることに限定されない。例えば、所定位置Ｐ１の近傍領域に対応する受光素子を第１膜厚演算領域と設定して、第１膜厚演算領域の近傍領域に対応する受光素子を第２膜厚演算領域と設定しても良い。
【００５５】
ステップＳ３７では、ステップＳ３６で設定された膜厚演算領域における薄膜の膜厚値ｄｉを各受光素子ごとに算出する。例えば第１膜厚演算領域（受光素子（ｉ＝２〜９））が膜厚演算領域のときには、ステップＳ３５で設定された所定位置Ｐ１（受光素子（ｉ＝１））の膜厚値ｄｓ（２５０ｎｍ）とステップＳ２３で設定された膜厚演算範囲「±１０ｎｍ」とから膜厚検査範囲を「２５０ｎｍ±１０ｎｍ」と設定する。この膜厚検査範囲（２４０ｎｍ〜２６０ｎｍ）において、理論計算により得られた膜厚ｄに対する分光反射比率Ｒ（ｄ，λｆ）と実測により得られた分光反射比率Ｔ（ｉ，λｆ）とに基づいて正確な膜厚ｄｉを算出する。例えば、以下の数７の式により各受光素子により得られた分光反射比率Ｔ（ｉ，λｆ）ごとの誤差平方和Ｅ（ｉ，ｄ）を膜厚検査範囲において例えば膜厚２ｎｍずつの計算ステップでそれぞれ算出する。算出された複数のＥ（ｉ，ｄ）からカーブフィット法を用いて測定領域ＭＡ内の任意位置の正確な膜厚ｄｉを算出する。すなわち複数のＥ（ｉ，ｄ）に基づいて、横軸を膜厚検査範囲とし、縦軸を誤差平方和Ｅ（ｉ，ｄ）としたグラフを作成する。このグラフから２次曲線近似法を用いて誤差平方和Ｅ（ｉ，ｄ）の極小値Ｅ（ｄｉ）を求め、この極小値Ｅ（ｄｉ）に対応する膜厚値を膜厚値ｄｉとする。
【数７】
0003723392.tif 000008
【００５６】
ステップＳ３７における膜厚演算領域が第２膜厚演算領域（受光素子（ｉ＝１０〜２５））のときは第１膜厚演算領域の内側に隣接する第１膜厚演算領域（受光素子（ｉ＝２〜９））における膜厚値ｄ（ｉ＝２〜９）から膜厚検査範囲を「膜厚値ｄ（ｉ＝２〜９）±１０ｎｍ」と設定して上述と同様に膜厚値ｄ（ｉ＝２４）を算出する。例えば第２膜厚演算領域内の受光素子（ｉ＝２４）に対応する位置の膜厚値ｄ（ｉ＝２４）を算出する場合、膜厚検査範囲を受光素子（ｉ＝２４）の内側に隣接する第１膜厚演算領域内の受光素子（ｉ＝９）の膜厚値ｄ（ｉ＝９）から膜厚検査範囲を「膜厚値ｄ（ｉ＝９）±１０ｎｍ」と設定し、上述と同様に膜厚値ｄ（ｉ＝２４）を算出する。膜厚演算領域の角部に位置する例えば膜厚値ｄ（ｉ＝１０）を算出するときにはその対角線上の内側にある膜厚値ｄ（ｉ＝２）に基づいて膜厚検査範囲を設定すれば良い。
【００５７】
ステップＳ３８では、データ処理部６３によりステップＳ３７で算出した極小値Ｅ（ｄｉ）とデータ処理部６３内のＲＯＭに予め記憶された規定値とが比較される。そして、極小値Ｅ（ｄｉ）が規定値以上のときには、膜厚値ｄｉは測定エラーと判断されて、後に解析する場合に識別が容易な膜厚値（例えば０（ゼロ））に置き換えられる。例えば、受光素子（ｉ＝９）による極小値Ｅ（ｄ（ｉ＝９））が規定値以上と判断されると、膜厚値ｄ（ｉ＝９）は「０」と設定される。この場合、ステップＳ３７では受光素子（ｉ＝９）の外側に隣接する受光素子（ｉ＝２４）による膜厚値ｄ（ｉ＝２４）を算出するときに膜厚値ｄ（ｉ＝９）に基づく膜厚検査範囲（０±１０ｎｍ）は用いずに、受光素子（ｉ＝９）に隣接する受光素子（ｉ＝２）または受光素子（ｉ＝８）からの光量データに基づき正確に算出された、すなわち「０」に置き換えられていない膜厚値ｄ（ｉ＝２）または膜厚値ｄ（ｉ＝８）から膜厚検査範囲が設定される。
【００５８】
ステップＳ３９では、全ての膜厚演算領域について膜厚値ｄｉが算出されたか否かがデータ処理部６３により判断される。例えば、測定領域ＭＡ内、または測定領域ＭＡに含まれる所定領域内に対応する第２受光素子５３内の全ての受光素子について膜厚値ｄｉが算出されたか否かが判断される。ステップＳ３９で膜厚値ｄｉが算出されていない膜厚演算領域が残っていると判断された場合は、ステップＳ３６からステップＳ３８の処理が繰り返される。全ての膜厚演算領域について膜厚値ｄｉが算出されたと判断された場合は膜厚値の演算処理動作が完了する。このように完了した後で、測定ステージ７を移動させて、他の測定領域ＭＡについて図３、図４のフローチャートに示す処理を繰り返しても良い。
【００５９】
＜第１実施形態と従来装置との比較＞
上述の動作例により測定領域ＭＡ内の任意位置の膜厚値ｄｉが２５５ｎｍと算出されたと仮定して従来の波長選択式の膜厚測定装置と比較する。図９には膜厚が２５５ｎｍのときのプロファイルが点線で示されている。図９において一点鎖線（膜厚が５００ｎｍ）と点線とは点ｂ１ないし点ｂ４で交わっている。波長切替手段２３で切り替えられる特定波長λｆが点ｂ１ないし点ｂ４に対応する波長であるときに、従来の波長選択式の膜厚測定装置では膜厚検査範囲の初期設定を誤ると膜厚値が５００ｎｍであると間違える可能性がある。しかしながら、上述の第１実施形態によれば、予め算出した正確な膜厚値ｄｓ（２５０ｎｍ）から膜厚検査範囲を２４０ｎｍから２６０ｎｍの範囲内と設定するので、正確な膜厚値ｄｉ（２５５ｎｍ）を得ることができる。従来の波長選択式の膜厚測定装置においてフィルタ数を多くして測定領域ＭＡに照射する光の波長を増やせば上述のように膜厚値を間違える可能性は低くなるが、上述の第１実施形態の膜厚測定装置によれば少ないフィルタ数でも正確な膜厚値ｄｉを得ることができる。
【００６０】
また、基板Ｗ上に薄膜が積層形成された多層膜の各波長に対する分光反射比率のプロファイルは図９に示す単層膜のプロファイルよりも極値の個数Ｘが多く複雑であり、その結果、正しい膜厚値の近くに多くの近似値（間違った膜厚値）が存在することとなる。このような多層膜の各膜厚値を従来の波長選択式の膜厚測定装置によって測定すると、膜厚検査範囲を広く初期設定した際には膜厚検査範囲内に正しい膜厚値と近似値とが含まれたり、膜厚検査範囲を狭く初期設定した際にはこの初期設定を誤ったりして、測定ミスが発生する可能性が高くなる。しかしながら、上述の第１実施形態の膜厚測定装置によれば、所定位置Ｐ１における多層膜の各膜厚値ｄｓを正確に測定した後、これらの各膜厚値ｄｓに基づいて正しい膜厚検査範囲を設定することができて、少ないフィルタ数でも測定領域ＭＡにおける各薄膜の膜厚分布を正確に求めることができる。
【００６１】
＜第１実施形態の用途例＞
上述の第１実施形態による膜厚測定装置１は、次のような膜厚測定において特に好適に利用できる。図６に示すように中央滴下スピンコート法により基板Ｗの表面にフォトレジスト膜（薄膜）を形成する際に、スピン処理の初期段階で基板Ｗの中央に滴下されたフォトレジスト液が、放射状に角を形成するように広がる。このようにフォトレジスト液が広がるために、形成されたフォトレジスト膜に点線で示すように放射状の膜厚分布が生じるストライエーションという現象が発生する。このストライエーションに起因するフォトレジスト膜の膜厚変動が許容範囲であるか否かを判断する際に膜厚測定装置１は好適に利用できる。上記の膜厚変動は比較的緩やかであるので、膜厚測定装置１により所定位置Ｐ１の膜厚値ｄｓを求めた後、この膜厚値ｄｓに基づいて測定領域ＭＡ内のレジスト膜の膜厚分布を正確に求めることができる。
【００６２】
また、図７は基板Ｗの全面に形成されたフォトレジスト膜（薄膜）ＲＦを基板Ｗの周辺領域において除去した状態を示す。フォトレジスト膜が除去された境界線部分では、フォトレジスト膜ＲＦが盛り上がる場合がある。この盛り上がり具合が許容範囲内であるか否かを判断する際に膜厚測定装置１は好適に利用できる。膜厚測定装置１により所定位置Ｐ１の膜厚値ｄｓを求めた後、この膜厚値ｄｓに基づいて測定領域ＭＡ内の膜厚分布、すなわち盛り上がり具合を正確に求めることができる。
【００６３】
＜他の動作例＞
上述の動作例においては、膜厚演算領域を受光素子（ｉ＝１）を中心にして段階的に広げるように設定するが、この設定方法に限定されない。例えば測定領域ＭＡ内において膜厚変動の小さいと予想される領域を膜厚演算領域としても良い。例えば図８に示すように測定領域ＭＡ内において薄膜の積層状態（単層膜または多層膜の積層数など）や膜種などの薄膜構造が同一である領域ＰＴにおける膜厚値ｄｉは、所定位置Ｐ１の膜厚値ｄｓと大きく異なる可能性は小さいので領域ＰＴを膜厚演算領域として膜厚値ｄｉを算出しても良い。この領域ＰＴはその座標位置を初期設定値としてデータ処理部６３のＲＯＭ内に記憶させておいても良いし、画像処理により領域ＰＴの座標位置を特定しても良い。
【００６４】
上述の第１実施形態の動作例では、まず所定位置Ｐ１の膜厚値ｄｓを求めて、この膜厚値ｄｓに基づいて測定領域ＭＡ内の膜厚分布を求めているが、この動作に限定されない。例えば、薄膜が単層膜でその膜厚変動が緩やかであるときなど膜厚検査範囲の初期設定を誤る可能性が低い場合には、所定位置Ｐ１の膜厚値ｄｓを算出せずに、初期設定された膜厚検査範囲に基づいて測定領域ＭＡ内の膜厚分布を算出しても良い。そして、より正確に膜厚値を測定すべき位置については、この位置を所定位置Ｐ１として上述のように膜厚値ｄｓを求めても良い。
【００６５】
＜第２実施形態＞
次にこの発明の第２実施形態について説明する。第１実施形態において図１に示すように波長切替手段２３は光源部２に設けられる。第２実施形態では、光源部２に波長切替手段２３を設けずに、第２受光光学系５の光路上に波長切替手段２３ｂを配置する。より具体的には図１に点線で示すようにレンズ５２と第２受光素子５３との間に波長切替手段２３ｂを設ける。波長切替手段２３ｂはその配置位置が第１実施形態の波長切替手段２３と異なるだけでその構成は波長切替手段２３同じである。この第２実施形態においては、測定領域ＭＡには光源部２から白色光が常に照射される。そして、波長切替手段２３ｂによって、第２受光素子５３が受光する光の波長が特定波長λｆ（波長λ１ないし波長λ８）に選択的に切り替えられる。その他の構成および測定動作については第１実施形態と同様であるので詳細な説明は省略する。
【００６６】
【発明の効果】
以上詳細に説明した如く、請求項１および請求項２に係る発明によれば、第１膜厚測定部によって所定位置における薄膜の膜厚が正確に測定できるとともに、第２膜厚測定部によって所定領域における薄膜の膜厚分布が測定できる。
【００６７】
また、第１膜厚測定部による測定結果に基づいて第２測定部による測定が実行されるので、所定領域における膜厚分布をより正確に測定することができる。
【００６８】
請求項３に係る発明によれば、正確に膜厚が測定された所定位置の周辺領域が所定領域とされるので、所定領域内の膜厚分布をより正確に求めることができる。
【００６９】
請求項４に係る発明は、薄膜構造が同一である領域について正確に膜厚分布を測定できる。
【００７０】
請求項５および請求項６に係る発明によれば、第１膜厚測定工程で求めた膜厚に基づいて所定領域における膜厚分布が求められるので、膜厚検査範囲の誤りに起因する測定ミスを防止できて膜厚分布を正確に求めることができる。
【００７１】
また、膜厚検査範囲が第１膜厚測定工程で求めた膜厚に基づいて設定されるので、膜厚検査範囲の誤りに起因する測定ミスを確実に防止することができる。
【００７２】
請求項７に係る発明によれば、所定位置の近傍領域が第１膜厚演算領域に設定され、第１膜厚演算領域における膜厚検査範囲が第１膜厚測定工程で求めた所定位置の膜厚に基づいて設定されるので、第１膜厚演算領域の膜厚分布を正確に求めることができる。
【００７３】
請求項８に係る発明によれば、第１膜厚演算領域の近傍領域が第２膜厚演算領域に設定され、第２膜厚演算領域における膜厚検査範囲が第１膜厚演算領域の膜厚値に基づいて設定されるので、第２膜厚演算領域の膜厚分布を正確に求めることができる。
【００７４】
請求項９に係る発明によれば、薄膜構造が同一である領域における膜厚分布を正確に求めることができる。
【図面の簡単な説明】
【図１】この発明の第１実施形態および第２実施形態の構成を示す模式図である。
【図２】第１実施形態の参照情報測定動作のフローチャートを示す図である。
【図３】第１実施形態の膜厚情報測定動作のフローチャートを示す図である。
【図４】第１実施形態の膜厚値演算動作のフローチャートを示す図である。
【図５】膜厚演算領域を説明するための図である。
【図６】測定対象基板の一例を示す平面図である。
【図７】他の測定対象基板を示す平面図である。
【図８】さらに別の測定対象基板を示す断面図である。
【図９】光の波長に対する各薄膜の分光反射比率のプロファイルを示す図である。
【符号の説明】
１  膜厚測定装置
２  光源部
２３、２３ｂ  波長切替手段
３  導光光学系
４  第１受光光学系
４３  第１受光素子
５  第２受光光学系
６  制御部
７  測定ステージ
Ｗ，Ｗ０  基板
【図１】
0003723392.tif 000009
【図２】
0003723392.tif 000010
【図３】
0003723392.tif 000011
【図４】
0003723392.tif 000012
【図５】
0003723392.tif 000013
【図６】
0003723392.tif 000014
【図７】
0003723392.tif 000015
【図８】
0003723392.tif 000016
【図９】
0003723392.tif 000017